(57)【要約】【課題】  定着部材からの熱移動速度及び熱移動量をできるだけ小さく抑えて、定着部材の昇温速度を速めることができる定着用加圧部材を提供する。【解決手段】  記録媒体上の未定着の画像を加熱、加圧により定着させる定着装置に用いる加圧定着部材を構成する基材の外周面に、フッ素樹脂材料及びフッ素樹脂と充填剤との混合材料から形成した複数の層からなる離型層を備える構成とする。ローラ材である加圧部材２００の基材（芯金２０１：アルミや鉄の耐熱構造体）の外周に離型樹脂（フッ素樹脂）層２０２、２０３を順に設ける。離型樹脂層２０２、２０３には、四フッ化エチレン・パーフロロアルキルビニルエーテル共重合体樹脂（ＰＦＡ）等を用いる。離型樹脂層２０２には、低比熱で低熱伝導率の物質として中空フィラー２０４あるいは導電性物質２０５を充填しても良い。【選択図】        図３
2006030825.tif 000002
【特許請求の範囲】
【請求項１】
記録媒体上の未定着トナー画像を、加圧、加熱により前記記録媒体に定着させる定着装置に用い、前記加圧を行うための加圧定着部材であって、基材の外周面に、フッ素樹脂材料及びフッ素樹脂と充填剤との混合材料から形成した複数の層からなる離型層を備えることを特徴とする加圧定着部材。
【請求項２】
請求項１記載の加圧定着部材において、前記離型層は、膜厚の異なる層を少なくとも２つ含むことを特徴とする加圧定着部材。
【請求項３】
請求項１記載の加圧定着部材において、前記離型層の最表面層を、フッ素樹脂のみで構成したことを特徴とする加圧定着部材。
【請求項４】
請求項１または２記載の加圧定着部材において、前記離型層に、低比熱で低熱伝導率の物質を配合したことを特徴とする加圧定着部材。
【請求項５】
請求項４記載の加圧定着部材において、前記低比熱で低熱伝導率の物質として中空フィラーを分散配合したことを特徴とする加圧定着部材。
【請求項６】
請求項５記載の加圧定着部材において、前記中空フィラーがガラスバルーンであることを特徴とする加圧定着部材。
【請求項７】
請求項１または２記載の加圧定着部材において、前記離型層に、導電性物質を配合したことを特徴とする加圧定着部材。
【請求項８】
請求項７記載の加圧定着部材において、前記導電性物質としてカーボン充填材を分散配合したことを特徴とする加圧定着部材。
【請求項９】
請求項８記載の加圧定着部材において、前記カーボン充填材が、ヨウ素吸着量が４３ｍｇ／ｇ以上１１８ｍｇ／ｇ以下であり、かつ、前記離型層に充填されるカーボン量が２重量％以上５重量％以下であることを特徴とする加圧定着部材。
【請求項１０】
請求項１ないし９のいずれかに記載の加圧定着部材において、前記離型層を構成するフッ素樹脂が四フッ化エチレン・パーフロロアルキルビニルエーテル共重合体樹脂（ＰＦＡ）を主成分とすることを特徴とする加圧定着部材。
【請求項１１】
請求項１ないし１０のいずれかに記載の加圧定着部材において、前記基材がベルト材であることを特徴とする加圧定着部材。
【請求項１２】
請求項１ないし１０のいずれかに記載の加圧定着部材において、前記基材がローラ材であることを特徴とする加圧定着部材。
【請求項１３】
請求項１ないし１２のいずれかに記載の加圧定着部材を備えたことを特徴とする定着装置。
【請求項１４】
請求項１３記載の定着装置を備えたことを特徴とする画像形成装置。
【発明の詳細な説明】
【技術分野】
【０００１】
本発明は、記録媒体上の未定着の画像を定着するための定着装置に用いる加圧定着部材と、これを用いる定着装置、この定着装置を備える複写機、プリンタ、ファクシミリ等の画像形成装置に関し、詳細には電子写真方式を採用した普通紙複写機、レーザプリンタ、ファクシミリ等に適するものに関する。
【背景技術】
【０００２】
図１は、タンデム型の電子写真方式のカラー画像形成装置の一例を示を概念的に示す。図示のように電子写真方式を用いるカラー画像形成装置、例えばフルカラー複写機、フルカラーレーザープリンタは、４つの回転する感光体１Ｙ〜１Ｋ（Ｙはイエロー、Ｃはシアン、Ｍはマゼンタ、Ｋはブラック。以下、同じ。）及び現像装置、転写装置等の作像系２Ｙ〜２Ｋを並設し、その下方にシート搬送ベルト３を配し、さらに給紙装置４、定着装置５等々を備えている。
【０００３】
各感光体１Ｙ〜１Ｋは、それぞれモータ６Ｙ〜６Ｋにより回転駆動するようになっている。またシート搬送ベルト３は一対のローラ７、７の間に掛け回してあり、一のローラ７をモータ８により回転駆動するようになっている。さらに作像系２Ｙ〜２Ｋは、モータ９Ｙ〜９Ｋと減速装置１０Ｙ〜１０Ｋにより回転駆動するようになっている。
【０００４】
この図１に示すタイプの画像形成装置は、シート搬送ベルト３で搬送する記録シートＰ（図１中では、点線Ｐで示した搬送経路を搬送する。）に各感光体１（以下では、特に必要がなければ単に符号１を付して感光体を示す。他の要素についてのＹ、Ｃ、Ｍ、Ｋについても同様とする。）上の画像を作像系２の転写装置により順次転写する直接転写方式となっている。
【０００５】
図２は、図１の装置の感光体１Ｋとその作像系２Ｋ及び定着装置５の構成をやはり概念的に示す。この電子写真方式の画像形成装置における画像作成プロセスは、回転する感光体ドラム１０１の感光層を帯電ローラ１０２を用いて一様に帯電させた後、図示しないレーザ走査ユニットからのレーザービーム１０３によって露光し、それによって感光体ドラム１０１上の静電潜像をトナーによって現像してトナー像とし、そのトナー像を記録シートＰ上に転写し、さらにその記録シートＰを定着装置５に通してトナー像を加熱、加圧して記録シートＰに定着させるように構成してある。
【０００６】
なお図中１０４は現像ローラ、１０５はパワーパック（電源）、１０６は転写ローラ、１０８はクリーニング装置、１０９は表面電位計である。
【０００７】
このような定着装置５においては、例えばアルミニウム等の中空円筒体からなる芯金の外周面にトナーの粘着を防止するためのフッ素樹脂層等からなる粘着防止層を設けた加熱定着ローラ１１０を使用している。このような加熱定着ローラ１１０は、芯金の中空部に回転中心線に沿ってハロゲンランプ等のヒータを配置し、その輻射熱によって加熱定着ローラ１１０を内側から加熱するようになっている。
【０００８】
また加熱定着ローラ１１０と平行に、これに圧接する加圧ローラ１１１を設け、加圧ローラ１１１と加熱定着ローラ１１０との間に記録シートＰを通過させることにより、記録シートＰ上に付着しているトナーを加熱定着ローラ１１０の熱により軟化させつつ、加圧ローラ１１１と加熱定着ローラ１１０との間に挟むことによって加圧することにより、記録シートＰ上にトナー像を定着させている。なお図２（Ｂ）に示すベルト方式の定着装置も用いられている。図中１１３は定着ベルト、１１４は定着ローラ、１１５は加圧ローラ、１１６はテンションローラである。
【０００９】
ここで、フルカラーの複写機やレーザプリンタでは、Ｍ、Ｃ、Ｙ、Ｋの４色のカラートナーが用いられるが、カラー画像の定着時には、これらのカラートナーを溶融状態で混合する必要があり、トナーを低融点化して溶融しやすくするとともに、加熱定着ローラ１１０の表面で、複数種のカラートナーを包み込むようにして溶融状態で、均一に混合させることが必要になる。
【００１０】
このような表面の柔軟性を付与するために、基体上にシリコーンゴムやフッ素ゴム等のゴム弾性層を設けた構成の加熱定着ローラや加熱定着ベルトが用いられているが、これらは柔軟性には優れるものの、トナー離型性が不足しているため、トナーオフセット現象が発生しやすい。また、これらゴム弾性層は耐摩耗性が低いことから、表面の摩耗、劣化が激しい。
【００１１】
これらの不具合に対しては、シリコーン系の潤滑オイルを定着ローラ、ベルト表面に塗布する方法がある。しかしながら、このオイル塗布方式も初期的には効果が見られるが、十分ではなく、また、このオイルによりゴム材料の膨潤という新たな不具合が発生する。最近では、定着ローラやベルト基体上にゴム弾性層を設け、その上にフッ素樹脂からなる離型層（粘着防止層）を形成させた構成も実用化されている。
【特許文献１】特開２００２−３１９７７号公報
【発明の開示】
【発明が解決しようとする課題】
【００１２】
本発明は、上述した従来の加熱、加圧による定着装置の構成において、加圧ローラの熱伝導率が大きいと、冷えた状態の加圧ローラが加熱定着ローラに接触することが原因で、加熱定着ローラの温度上昇が妨げられ、その結果として昇温速度の低下によりウォーミングアップ時間が長くかかるという問題点を引き起こすことになり、解決が要望されている。
【００１３】
そこで本発明は、定着部材からの熱移動速度及び熱移動量をできるだけ小さく抑えて、定着部材の昇温速度を速めることができる定着用加圧部材を提供し、それを用いる結果として、立上り時間の短縮、高耐久・高信頼性、を有する定着装置と、これを用いて環境負荷の低減や顧客満足の向上に寄与し得る画像形成装置を提供することを目的とする。
【課題を解決するための手段】
【００１４】
本発明の請求項１に係る加圧定着部材は、記録媒体上の未定着トナー画像を、加圧、加熱により前記記録媒体に定着させる定着装置に用い、前記加圧を行うための加圧定着部材であって、基材の外周面に、フッ素樹脂材料及びフッ素樹脂と充填剤との混合材料から形成した複数の層からなる離型層を備えることを特徴とする。
【００１５】
同請求項２に係るものは、請求項１記載の加圧定着部材において、前記離型層は、膜厚の異なる層を少なくとも２つ含むことを特徴とする。
【００１６】
同請求項３に係るものは、請求項１記載の加圧定着部材において、前記離型層の最表面層を、フッ素樹脂のみで構成したことを特徴とする。
【００１７】
同請求項４に係るものは、請求項１または２記載の加圧定着部材において、前記離型層に、低比熱で低熱伝導率の物質を配合したことを特徴とする。
【００１８】
同請求項５に係るものは、請求項４記載の加圧定着部材において、前記低比熱で低熱伝導率の物質として中空フィラーを分散配合したことを特徴とする。
【００１９】
同請求項６に係るものは、請求項５記載の加圧定着部材において、前記中空フィラーがガラスバルーンであることを特徴とする。
【００２０】
同請求項７に係るものは、請求項１または２記載の加圧定着部材において、前記離型層に、導電性物質を配合したことを特徴とする。
【００２１】
同請求項８に係るものは、請求項７記載の加圧定着部材において、前記導電性物質としてカーボン充填材を分散配合したことを特徴とする。
【００２２】
同請求項９に係るものは、請求項８記載の加圧定着部材において、前記カーボン充填材が、ヨウ素吸着量が４３ｍｇ／ｇ以上１１８ｍｇ／ｇ以下であり、かつ、前記離型層に充填されるカーボン量が２重量％以上５重量％以下であることを特徴とする。
【００２３】
同請求項１０に係るものは、請求項１ないし９のいずれかに記載の加圧定着部材において、前記離型層を構成するフッ素樹脂が四フッ化エチレン・パーフロロアルキルビニルエーテル共重合体樹脂（ＰＦＡ）を主成分とすることを特徴とする。
【００２４】
同請求項１１に係るものは、請求項１ないし１０のいずれかに記載の加圧定着部材において、前記基材がベルト材であることを特徴とする。
【００２５】
同請求項１２に係るものは、請求項１ないし１０のいずれかに記載の加圧定着部材において、前記基材がローラ材であることを特徴とする。
【００２６】
同請求項１３に係る定着装置は、請求項１ないし１２のいずれかに記載の加圧定着部材を備えたことを特徴とする。
【００２７】
同請求項１４に係る画像形成装置は、請求項１３記載の定着装置を備えたことを特徴とする。
【発明の効果】
【００２８】
本発明は、充填剤による表面性、離型性の低下を防止し、耐久性や離型性の向上や、導電性の付与等を可能とし、定着装置や画像形成装置の高耐久化と定着画像の高画質化に寄与する。
【発明を実施するための最良の形態】
【００２９】
以下本発明を実施するための最良の形態を、図に示す実施例を参照して説明する。
【実施例１】
【００３０】
図３は本発明に係る加圧定着部材の一実施例の断面図である。なお図３（Ｂ）は、図３（Ａ）中の丸印で囲った部分を拡大して示す。本実施例の加圧部材２００は、図に示すように、基材の外周面に、フッ素樹脂材料及びフッ素樹脂と充填剤との混合材料から形成した複数の層からなる離型層を備える構成を有する。
【００３１】
図中２０１は基材となるアルミや鉄の耐熱構造体、２０２、２０３は焼成された離型樹脂（フッ素樹脂）層である。アルミまたは鉄の耐熱構造体（以下、芯金という）２０１には、好ましくはローラ材を用いる。芯金２０１上に第１の離型樹脂層２０２を形成し、さらに第２の離型樹脂層２０３を被覆して加圧定着部材２００としてある。
【００３２】
離型樹脂層２０２、２０３に使用する材料としては、四フッ化エチレン樹脂（ＰＴＦＥ）、四フッ化エチレン・パーフロロアルキルビニルエーテル共重合体樹脂（ＰＦＡ）、及び四フッ化エチレン・六フッ化プロピレン共重合体樹脂（ＦＥＰ）等のフッ素系樹脂、もしくはこれらの樹脂の混合物、耐熱性樹脂にこれらフッ素系樹脂を分散させたものを挙げ得る。特に、強度と平滑性を両立させる点からはＰＦＡが好ましい。
【００３３】
また離型樹脂層２０２に充填する材料としては、低比熱で低熱伝導率の物質として中空フィラー２０４や、導電性物質２０５を用いることができる。これらは単独でも、両方一緒に添加して使用してもいずれでも可能である。なお離型樹脂層２０３には離型性を確保するため充填剤は添加しないほうが良い。また、離型層となる離型樹脂層２０３の被膜形成方法はチューブ゛状にしたものをかぶせても、湿式スプレー塗装や粉体塗装後に焼き付けても良い。
【００３４】
なお、図３は基材２０１としてローラ状のものを用いた場合のみ示しているが、図２（Ｂ）に示すようにベルト状部材を用いることでも構成可能である。その場合、例えばＳＵＳ、ニッケル等の金属材料、もしくはポリイミド、ポリアミドイミド、フッ素樹脂等の耐熱性樹脂を用いる。金属材料の場合はベルトの撓みを考慮して、１００μｍ以下の膜厚であることが望ましい。耐熱性樹脂の場合には、熱容量、強度の点から、３０〜２００μｍの膜厚が望ましい。
【００３５】
また、高画質化等の点から、基材と離型層の間に弾性層を設けることも可能である。この場合、弾性層としては、耐熱性のある弾性体、好ましくは耐熱性ゴムを用い得る。具体的にはシリコーンゴム、フロロシリコンゴムを挙げ得る。特に耐熱性、硬度の点からシリコーンゴムが好ましい。
【００３６】
また図示はしていないが、加圧部材を発熱させる補助加熱体、好ましくはハロゲンヒータやセラミックヒータ等を付加しても良い。また図２（Ｂ）のように構成して定着ベルト１１３を２軸によって張架しても良いが、２軸以上の多軸保持であっても良いことは勿論である。
【００３７】
次に上述した実施形態をさらに具体化した実施例を説明する。
【実施例２】
【００３８】
＜本発明の例１＞
径がφ４０ｍｍのアルミ金属製芯金上にプライマー層を下地として乾燥させた後、その上に第２離型層として充填剤：ガラスバルーン（東海工業株式会社製の商品名「セルスター」ＳＸ−３９）を１０重量％含むＰＦＡを厚さ２０μｍ塗装し、その後、さらに充填剤を含まない第１層離型層を１０μｍの厚さに塗装した。ＰＦＡベース材料としては粉体化フッ素樹脂（製品名：ＭＰ１０２、株式会社三井デュポンフロロケミカル社製）を用い、粉体塗装を行った。３８０℃で３０分にわたって焼成した後、炉から取り出し、放冷した後、二次加工したものを加圧部材とした。これを図２（Ｂ）に示すような定着装置に用い、３対の加熱ローラと加圧ローラを組み合わせて定着させることができるようにし、装置の立上り時間と、１０Ｋ枚（１０、０００枚）を通紙したときにおける耐久性及びオフセット性を評価した。
＜本発明の例２＞
実施例１における、第２離型層に含まれる充填物としてさらにカーボン（旭カーボン株式会社製：型番＃９０）を３重量％添加したものを加工し、その他は前記例１と同様の加工を施して、評価を行った。カーボンは同じヨウ素吸着量を持つものであれば、例えば東海カーボン株式会社製、商品名：カーボンブラック：シースト９、同６、同ＳＯ、同Ｖや、昭和キャボット株式会社製の商品名：ショウブラックＮ１１０、同Ｎ２２０、同Ｎ５５０等も使用可能である。
＜比較例１＞
前記例１における、第２離型層に充填物を含まない離型層を加工し、その他は前記例１と同様の加工、評価を行った。
＜比較結果＞
以下に比較結果を示す。
【００３９】
【表１】
2006030825.tif 000003
以上により、断熱性に優れる中空フィラー（ガラスバルーン等）を添加した離型層を形成することにより、第２離型層が断熱層として機能し、定着部材からの熱移動速度及び熱移動量をできるだけ小さく抑えて、定着部材の昇温速度を速めることのできることがわかる。その結果として、定着装置の立上り時間の短縮に寄与し得る。
【００４０】
また無機物を充填した効果として、離型層の耐久性を向上させることができた。また、導電性カーボンを添加することにより加圧部材表面へのトナーの静電オフセットを防止し、オフセット性を改善することができた。
【００４１】
さらに、前記実施例においては中空フィラーとしてガラスバルーンを用いたが、同様の効果を持つシリカバルーン、カーボンバルーン、フェノール樹脂バルーン、塩化ビニリデン樹脂バルーン、アクリロニトリル樹脂バルーン、塩化ビニリデンと（メタ）アクリロニトリルとの共重合体からなる樹脂バルーン、アルミナバルーン、ジルコニアバルーン、シラスバルーン等を用いて構成しても良い。さらに、導電物質として粒状カーボンを用いたが、導電性を持つ材料であれば良く、形状はウィスカー状単結晶繊維や燐片状、中空状、コイル状、また材質としては金属や導電コーティングを行った無機物等も用いることができる。
【００４２】
その結果、本発明を用いた加圧部材を搭載した定着装置を用いることにより、立上り時間の短縮、高耐久性、高信頼性を特徴とする電子写真方式の複写機、ファクシミリ、レーザービームプリンター等の画像形成装置を実現でき、環境負荷低減や顧客満足度の向上に寄与できる。
【００４３】
すなわち、充填剤による表面性、離型性の低下を防止し、第２離型層へ添加された充填物による機能（耐久性、離型性向上、導電性付与）を発現することができる。また、転写紙が通過することによる紙粉や、両面コピーが通過することによる定着トナーや、定着装置内の飛散トナー付着も防止し、結果として定着装置の高耐久化と定着画像の高画質化に寄与する。
【００４４】
また充填剤を加圧部材に用いることにより、定着部材からの熱移動速度及び熱移動量を小さく抑え、定着部材の昇温速度を速めることができる。その結果として定着装置の立上り時間の短縮に寄与する。また、同時に第２離型層の硬度が上昇することにより、第１離型層の耐久性を向上させることができ、結果として定着装置の高耐久化に寄与する。
【００４５】
そして、耐摩耗性の向上と表面平滑性を両立しながら、加圧部材表面の帯電を防止し、結果として定着装置内の飛散トナーの加圧部材への静電付着を低減し、定着装置の高耐久化と定着画像の高画質化に寄与できる。
【図面の簡単な説明】
【００４６】
【図１】タンデム型の電子写真方式のカラー画像形成装置の一例を示を概念的に示す図である。
【図２】図１の装置の感光体とその作像系及び定着装置の構成を概念的に示す図である。
【図３】本発明に係る加圧定着部材の一実施例の断面図である。
【符号の説明】
【００４７】
１Ｙ〜１Ｋ：感光体
２Ｙ〜２Ｋ：作像系
３：シート搬送ベルト
４：給紙装置
５：定着装置
１０１：感光体ドラム
１０２：帯電ローラ
１０３：レーザービーム（露光）
１０４：現像ローラ
１０５：パワーパック
１０６：転写ローラ
１０８：クリーニング装置
１０９：表面電位計
１１０：加熱定着ローラ
１１１：加圧ローラ
１１２：ベルト方式定着器
１１３：定着ベルト
１１４：定着ローラ
１１５：加圧ローラ
１１６：加熱ローラ
２００：加圧部材
２０１：基材
２０２：第２離型層
２０３：第１離型層
２０４：中空フィラー
２０５：導電フィラー
Ｐ：記録シート
【図１】
2006030825.tif 000004
【図２】
2006030825.tif 000005
【図３】
2006030825.tif 000006